(57)【要約】【課題】マッサージ具本体が装着者の下腹部に押し付けられることを防止するようにした空気圧式マッサージ具を提供する。【解決手段】当該空気圧式マッサージ具１２は、腰部４を含む体幹３の周りに装着される。空気圧式マッサージ具１２は、マッサージ具本体１８の腰部周辺部２４に設けられた腰部空気室６２ａと、腰部周辺部２４の左右の両側縁２８の付近に設けられた一対の押圧阻止空気室５４ａとを有する。腰部空気室６２ａを膨張させる前に押圧阻止空気室５４ａに圧縮空気を供給しておく。押圧阻止空気室５４ａは体幹３の側に向かって突出するように膨張して、下腹部周辺部２０が装着者１の体幹３から離れるようになる。これにより、腰部空気室６２ａが膨張してマッサージ具本体１８が後方に引っ張られたときに、押圧阻止空気室５４ａが下腹部周辺部２０を支持して、下腹部周辺部２０が装着者１の下腹部２を押圧することを防止するようになる。【選択図】図３
2019141222.tif 000002
【特許請求の範囲】
【請求項１】
腰部を含む体幹周りに装着されるようにされた空気圧式マッサージ具であって、
装着状態において、装着者の下腹部を覆うようにされた下腹部周辺部、及び該下腹部周辺部の左右の両側縁の間を体幹の後側を通って延びて腰部を覆うようにされた腰部周辺部、を有するマッサージ具本体と、
該マッサージ具本体の該腰部周辺部に設けられ、外部から供給される圧縮空気によって膨張して腰部を押圧するようにされた腰部空気室と、
該腰部周辺部の左右の両側縁付近に設けられた一対の下腹部押圧阻止部であって、体幹側に向かって突出して間にある該下腹部周辺部が体幹から離れるようにし、該腰部空気室が膨張して腰部を押圧したときに該下腹部周辺部が下腹部を押圧するのを妨げるようにする一対の下腹部押圧阻止部と、
を備える、空気圧式マッサージ具。
【請求項２】
該一対の下腹部押圧阻止部が上前腸骨棘において装着者の体幹に当接するように配置された、請求項１に記載の空気圧式マッサージ具。
【請求項３】
該一対の下腹部押圧阻止部が、装着状態において腹部から大腿部に向かう上下方向に互いに略平行に延びている、請求項１又は２に記載の空気圧式マッサージ具。
【請求項４】
該マッサージ具本体が、該腰部周辺部及び該下腹部周辺部から大腿部にまで延びて臀部及び股部の周辺を覆う股部周辺部をさらに有し、全体としてパンツ形状とされており、
該股部周辺部に設けられ、外部から供給される圧縮空気により膨張して臀部を押圧する臀部空気室と、鼠径部を押圧する鼠径部空気室とをさらに備える、請求項１乃至３のいずれか一項に記載の空気圧式マッサージ具。
【請求項５】
該一対の下腹部押圧阻止部が、外部から供給される圧縮空気によって膨張する押圧阻止空気室である、請求項１乃至４のいずれか一項に記載の空気圧式マッサージ具。
【請求項６】
装着状態において該腰部空気室と装着者の体幹との間に位置するように該腰部周辺部に設けられ、該押圧阻止空気室と連通していて該押圧阻止空気室と共に圧縮空気により膨張する腰部補助空気室をさらに備える、請求項５に記載の空気圧式マッサージ具。
【請求項７】
請求項５又は６に記載の空気圧式マッサージ具と、
該空気圧式マッサージ具の各空気室に圧縮空気を供給する圧縮空気制御装置と、を備え、
該圧縮空気制御装置が、該押圧阻止空気室に圧縮空気を供給した後に該腰部空気室に圧縮空気を供給するようにされた、空気圧式マッサージ装置。
【発明の詳細な説明】
【技術分野】
【０００１】
本発明は、圧縮空気により空気室を膨張・収縮させることによって身体の所定部位を押圧してマッサージするための空気圧式マッサージ具、及び該空気圧式マッサージ具と空気室への圧縮空気の供給を制御する圧縮空気制御装置とを備えるマッサージ装置に関する。
【背景技術】
【０００２】
空気圧式マッサージ具は、複数の空気室が設けられたマッサージ具を使用者が装着し、各空気室に対して圧縮空気を順次供給及び排気することにより各空気室を周期的に膨張及び収縮させて身体の所定部位に対するマッサージを行なうようにするものである。空気圧式マッサージ具は、マッサージする部位に合せた形状とされ、例えば上半身用のジャケット形状のものや下半身用のパンツ形状のものなどがある。リンパ腺が集中する腰部や鼠径部などを押圧することにより高いマッサージ効果が得られる場合があるため、そのような場所を押圧してマッサージするようにしたものもある。例えば特許文献１には、腰部を中心に押圧するための空気室と、鼠径部を中心に押圧する空気室とを備える、パンツ形状の空気圧式マッサージ具が開示されている。この空気圧式マッサージ具においては、腹部及び下腹部に対応する位置には空気室が設けられていない。これは腹部や下腹部を強く押圧すると使用者が不快に感じることがあり、また長時間に亘って腹部を繰り返し押圧すると健康上の問題が生じることもあり得るためである。
【先行技術文献】
【特許文献】
【０００３】
【特許文献１】特許第４０５９９５６号
【発明の概要】
【発明が解決しようとする課題】
【０００４】
上述の空気圧式マッサージ具において主として背中側に位置する腰部をマッサージするための空気室が膨張すると、マッサージ具全体が該空気室の膨張により背中側に引っ張られる。そうすると、装着者の前方の下腹部側にあるマッサージ具の部分も後方に引っ張られることになり、その部分が腹部及び下腹部に押し付けられる場合がある。このときに腹部及び下腹部が押圧される力は、空気室によって直接押圧される力に比べれば小さいが、使用者がそれによって息苦しさなどの不快感を覚えることもある。
【０００５】
そこで本発明は、腰部を含む体幹周りに装着されて腰部をマッサージするようにされた空気圧式のマッサージ具において、腰部を押圧するための空気室が膨張した際にマッサージ具が装着者の下腹部に押し付けられることを防止するようにしたマッサージ具、およびそれを備えるマッサージ装置を提供することを目的とする。
【課題を解決するための手段】
【０００６】
すなわち本発明は、
腰部を含む体幹周りに装着されるようにされた空気圧式マッサージ具であって、
装着状態において、装着者の下腹部を覆うようにされた下腹部周辺部、及び該下腹部周辺部の左右の両側縁の間を体幹の後側を通って延びて腰部を覆うようにされた腰部周辺部、を有するマッサージ具本体と、
該マッサージ具本体の該腰部周辺部に設けられ、外部から供給される圧縮空気によって膨張して腰部を押圧するようにされた腰部空気室と、
該腰部周辺部の左右の両側縁付近に設けられた一対の下腹部押圧阻止部であって、体幹側に向かって突出して間にある該下腹部周辺部が体幹から離れるようにし、該腰部空気室が膨張して腰部を押圧したときに該下腹部周辺部が下腹部を押圧するのを妨げるようにする一対の下腹部押圧阻止部と、
を備える、空気圧式マッサージ具を提供する。
【０００７】
当該空気圧式マッサージ具においては、一対の下腹部押圧阻止部が腰部周辺部の左右の両側縁付近、すなわち下腹部周辺部の左右の両側縁の近くに設けられていて、下腹部周辺部が装着者の体幹から離れるようになっている。そのため、腰部空気室が膨張してマッサージ具本体が全体的に後方に引っ張られて下腹部周辺部が背中側に引っ張られたとしても、下腹部周辺部は下腹部押圧阻止部により支持されて下腹部を押圧しないようになる。これにより、マッサージ中に下腹部が押圧されることによる不快感を低減することが可能となる。なお、本願明細書における「腰部」とは、人の背中の背骨付近から体側を通って骨盤の左右にある前方に出っ張った部分である上前腸骨棘の付近にまで至る部分のことをいう。また、左右、上下、前後などの方向は、当該空気圧式マッサージ具が装着された状態での装着者の身体に関する方向に対応する向きを意味する。
【０００８】
好ましくは、該一対の下腹部押圧阻止部が上前腸骨棘において装着者の体幹に当接するように配置されているようにすることができる。
【０００９】
下腹部押圧阻止部が上前腸骨棘に当接するようにすることにより、下腹部押圧阻止部をより安定して保持して下腹部周辺部を下腹部から離れた位置により確実に維持することが可能となる。
【００１０】
好ましくは、該一対の下腹部押圧阻止部が、装着状態において腹部から大腿部に向かう上下方向に互いに略平行に延びているようにすることができる。
【００１１】
このような構成により、下腹部押圧阻止部の間にある下腹部周辺部を下腹部から離れた位置により安定して維持することが可能となる。
【００１２】
好ましくは、
該マッサージ具本体が、該腰部周辺部及び該下腹部周辺部から大腿部にまで延びて臀部及び股部の周辺を覆う股部周辺部をさらに有し、全体としてパンツ形状とされており、
該股部周辺部に設けられ、外部から供給される圧縮空気により膨張して臀部を押圧する臀部空気室と、鼠径部を押圧する鼠径部空気室とをさらに備えるようにすることができる。
【００１３】
具体的には、該一対の下腹部押圧阻止部が、外部から供給される圧縮空気によって膨張する押圧阻止空気室であるようにすることができる。
【００１４】
好ましくは、装着状態において該腰部空気室と装着者の体幹との間に位置するように該腰部周辺部に設けられ、該押圧阻止空気室と連通していて該押圧阻止空気室と共に圧縮空気により膨張する腰部補助空気室をさらに備えるようにすることができる。
【００１５】
腰部補助空気室を備えることで、腰部空気室が膨張したときの腰部の押圧をより効果的に行なうことが可能となる。
【００１６】
本発明はまた、
上述の押圧阻止空気室を備える空気圧式マッサージ具と、
該空気圧式マッサージ具の各空気室に圧縮空気を供給する圧縮空気制御装置と、を備え、
該圧縮空気制御装置が、該押圧阻止空気室に圧縮空気を供給した後に該腰部空気室に圧縮空気を供給するようにされた、空気圧式マッサージ装置を提供する。
【００１７】
以下、本発明に係る空気圧式マッサージ装置の実施形態を添付図面に基づき説明する。
【図面の簡単な説明】
【００１８】
【図１】本発明の一実施形態にかかる空気圧式マッサージ装置を示す外観図である。当該図ではマッサージ具本体の内部に設けられた各空気室を破線で示している。
【図２】図１の空気圧式マッサージ具の後方からの外観図である。当該図ではマッサージ具本体の内部に設けられた各空気室を破線で示している。
【図３】図１の装着状態におけるマッサージ具の腰部辺りでの横断面図である。
【図４】図１の装着状態におけるマッサージ具の臀部辺りでの横断面図である。
【図５】マッサージ具本体の内部に配置される主空気袋構成部材を示す図である。
【図６】マッサージ具本体の内部に配置される補助空気袋構成部材を示す図である。
【発明を実施するための形態】
【００１９】
本発明の一実施形態にかかる空気圧式マッサージ装置１０は、図１に示すようにパンツ形状の空気圧式マッサージ具１２と、空気圧式マッサージ具１２の各空気袋に圧縮空気を供給するための圧縮空気制御装置１４とからなる。圧縮空気制御装置１４と空気圧式マッサージ具１２の各空気室とは８本のチューブ１６により接続されている。
【００２０】
図１及び図２に示す空気圧式マッサージ具１２のマッサージ具本体１８は、使用者１の下腹部２（図３）を覆う下腹部周辺部２０と、下腹部周辺部２０の左右の両側縁２２の間を使用者１の体幹３の後側を通って延びて腰部４を覆う腰部周辺部２４と、下腹部周辺部２０及び腰部周辺部２４から大腿部にまで下方に延びて臀部７（図４）及び股部の周辺を覆う股部周辺部２６とを有する。下腹部周辺部２０と腰部周辺部２４の各側縁２２、２８の間はスライドファスナ３０により着脱可能に連結されている。スライドファスナ３０は、股部周辺部２６を通ってマッサージ具本体１８の下端にまで延びている。
【００２１】
図３及び図４に示すように、マッサージ具本体１８は、マッサージ具本体１８の外周面を構成する外側シート部材３２と、内周面を構成する内側シート部材３４とを縫い合わせることに作られており、外側シート部材３２と内側シート部材３４との間に左右に別れた内部空間３６が形成されている。各内部空間３６には、図５に示す主空気袋構成部材３８及び図６に示す補助空気袋構成部材４０が入れられている。主空気袋構成部材３８は、４枚のシートを溶着で貼り合わせることにより形成され、後述する３つの空気袋を構成している。補助空気袋構成部材４０は、２枚のシートを溶着で貼り合わせることにより形成され、後述する１つの空気袋を構成している。マッサージ具本体１８の内部空間３６内において、補助空気袋構成部材４０は主空気袋構成部材３８よりも内側に配置される。
【００２２】
主空気袋構成部材３８の下部に形成された第１空気袋４２は、第１開口４４に連結される第１ニップル４６（図１、図２）を介して圧縮空気を供給・排出することにより膨張・収縮する。第１空気袋４２は、マッサージ具本体１８を装着した状態において装着者１の臀部７付近に位置する臀部空気室４２ａと、鼠径部６付近に位置する鼠径部空気室４２ｂとを有する。臀部空気室４２ａと鼠径部空気室４２ｂとは、装着者１の内股部を通る連通路４２ｃにより連通している。臀部空気室４２ａは、図４に示すように、外側の２枚のシートにより形成される第１臀部空気室４２ａ−１と、内側の２枚のシートにより形成される第２臀部空気室４２ａ−２とからなり、第１臀部空気室４２ａ−１と第２臀部空気室４２ａ−２との間は、連通開口４２ａ−３により連通している。このような構成とすることにより、臀部空気室４２ａは他の空気室よりもより大きく膨張して、臀部７をやや下方から上方に向かって効果的に押圧するようになっている。主空気袋構成部材３８に形成された第２空気袋４８は、第２開口５０に連結される第２ニップル５２（図１、図２）から圧縮空気を供給・排出することにより膨張・収縮する。第２空気袋４８は、装着状態において装着者１の体側８付近に位置する体側空気室４８ａを構成する。
【００２３】
図６に示すように、補助空気袋構成部材４０に形成された第３空気袋５４は、第３開口５６に連結される第３ニップル５８（図１、図２）から圧縮空気を供給・排出することにより膨張・収縮する。補助空気袋構成部材４０は、第３開口５６が主空気袋構成部材３８の貫通孔６０と整合する位置で主空気袋構成部材３８と重なるようにして配置され、第３ニップル５８は貫通孔６０を通って第３開口５６に連結されるようになっている。第３空気袋５４は、装着状態において、骨盤の前方位置、より詳細には骨盤の左右にある前方に出っ張った上前腸骨棘９に当接する位置とされた押圧阻止空気室（下腹部押圧阻止部）５４ａを有する。押圧阻止空気室５４ａは、図１に示すように、左右の上前腸骨棘９にそれぞれ対応する位置にあり、装着者１の腹部から大腿部に向かう上下方向に延びて、互いに略平行となるように配置されている。第３空気袋５４はさらに腰部４の背中側に位置するようになる腰部補助空気室５４ｂを有し、押圧阻止空気室５４ａと腰部補助空気室５４ｂとは、腰部４を体側８に沿って延びる位置にある連通路５４ｃにより連通している。なお、押圧阻止空気室５４ａは必ずしも上前腸骨棘９に当接する必要はなく、例えば体側８において当接しつつ、下腹部よりも前方にまで突出する部分を有するような形態とすることも可能である。
【００２４】
主空気袋構成部材３８に形成された第４空気袋６２は、図５に示すように、第４開口６４に連結される第４ニップル６６（図１、図２）から圧縮空気を供給・排出することにより膨張・収縮する。第４空気袋６２は装着状態において腰部４の主として背中側に位置する腰部空気室６２ａを有する。腰部空気室６２ａは、その上下方向中央の左右両側にくびれ部６２ｂを有し、中央部の幅がやや狭くなるようにしてある。これにより、膨張時の腰部空気室６２ａの中央部の膨らみ量を抑えるとともに膨張時に腰部空気室６２ａが中央部付近で折れ曲がりやすくして、腰部空気室６２ａが腰部４に沿った形状で膨張しやすいようにしている。
【００２５】
なお、主空気袋構成部材３８は、第１空気袋４２の鼠径部空気室４２ｂからさらに上方に延びて、マッサージ具本体１８の下腹部周辺部２０内に位置する延長部分６８を有するが、この延長部分６８には圧縮空気は供給されない。したがって、マッサージ具本体１８の下腹部周辺部２０は膨張しない。
【００２６】
装着状態の空気圧式マッサージ具１２に圧縮空気制御装置１４を接続して、各空気袋に圧縮空気を供給すると、各空気室は図３及び図４に示すように膨張する。押圧阻止空気室５４ａは、図３に示すように、マッサージ具本体１８の腰部周辺部２４の左右の両側縁２８付近に位置し、装着者１の体幹３の側に向かって内側に突出するように膨張して、上前腸骨棘９において体幹３に当接する。腰部空気室６２ａは、特に腰部４の背中側の位置で大きく膨張する。腰部空気室６２ａの内側には腰部補助空気室５４ｂがあり、腰部空気室６２ａが膨張した際の腰部４への押圧がより効果的に行なわれるようになっている。また、比較的に大きな容積を有する腰部空気室６２ａが膨張すると、マッサージ具本体１８は全体として後方（図で見て下方）に引っ張られ、下腹部周辺部２０は腰部周辺部２４によって引っ張られることになる。ここで、腰部周辺部２４の左右の側縁２８には一対の押圧阻止空気室５４ａが設けられているため、下腹部周辺部２０は押圧阻止空気室５４ａによって支持されて下腹部２には実質的に当接しない。そのため、腰部空気室６２ａの膨張によってマッサージ具本体１８が後方に引っ張られたときにも、下腹部２はマッサージ具本体１８によって押圧されない。
【００２７】
図４に示すように、臀部空気室４２ａは、第１及び第２臀部空気室４２ａ−１、４２ａ−２がともに膨張して臀部７を押圧する。また、体側空気室４８ａは、腰部４の近くから大腿部にかけての体側８を押圧するように膨張する。また、鼠径部空気室４２ｂは脚の付け根辺りの鼠径部６を押圧するように膨張する。
【００２８】
圧縮空気制御装置１４は、内部に圧縮空気を発生させる圧縮機と、各空気袋に対する圧縮空気の供給・排出を制御するためのバルブとを備え、予め設定されたタイミングで各バルブの開閉を行なって各空気袋の膨張・収縮を制御するようになっている。各空気袋の膨張・収縮のタイミングは任意に設定可能であるが、代表的な動作シーケンスは以下の通りである。
【００２９】
圧縮空気制御装置１４は、まず第１空気袋４２に圧縮空気を供給して、臀部空気室４２ａ及び鼠径部空気室４２ｂを膨張させる。これにより、まず臀部７と鼠径部６が押圧される。なお、圧縮空気制御装置１４は各空気袋の圧力を測定する圧力センサを備えており、測定した圧力が所定の大きさ以上となったときにその空気袋に対する圧縮空気の供給を停止するようになっているが、所定の時間が経過したら供給を停止するようにしてもよい。第１空気袋４２への圧縮空気の供給が完了すると、次に第２空気袋４８に圧縮空気を供給して、体側空気室４８ａを膨張させて体側８を押圧する。第２空気袋４８への圧縮空気の供給が完了すると、次に第３空気袋５４に圧縮空気を供給して、押圧阻止空気室５４ａ及び腰部補助空気室５４ｂを膨張させる。第３空気袋５４に圧縮空気が供給され始めてから数秒経過後に、第１空気袋４２内の圧縮空気の排出を開始する。第３空気袋５４が膨張すると、押圧阻止空気室５４ａが装着者１の上前腸骨棘９の付近で当接してマッサージ具本体１８の下腹部周辺部２０が装着者１の下腹部２から離れた位置となる。また、腰部補助空気室５４ｂは腰部４に背中側で当接した状態となる。第３空気袋５４への圧縮空気の供給が完了すると、第４空気袋６２への圧縮空気の供給を開始する。ここでも第４空気袋６２への圧縮空気が供給され始めてから数秒経過後に第２空気袋４８内の圧縮空気の排出を開始する。第４空気袋６２の腰部空気室６２ａが膨張すると、腰部４の特に背中側が腰部補助空気室５４ｂを介して強く押圧される。腰部空気室６２ａは比較的に大きな容積を有しているため、大きく膨張して、マッサージ具本体１８の特に外側シート部材３２を後方に引っ張るようになる。これにより腰部空気室６２ａが設けられた腰部周辺部２４の左右の両側縁２８に連結された下腹部周辺部２０も引っ張られることになるが、下腹部周辺部２０の左右の両側縁２２の近くで押圧阻止空気室５４ａが装着者１の体幹３に当接していることにより、マッサージ具本体１８が後方に引っ張られる力は主として押圧阻止空気室５４ａが当接する上前腸骨棘９の付近で受け止められ、押圧阻止空気室５４ａの間にある下腹部周辺部２０は実質的に装着者１に当接しない。そのため、装着者１の下腹部２はマッサージ具本体１８によっては押圧されない。第４空気袋６２への圧縮空気の供給が完了してから所定の時間が経過すると、第３空気袋５４及び第４空気袋６２の圧縮空気を順に排出する。以上の動作を１つのサイクルとしてこれを繰り返すことによりマッサージを行なうようになっている。当該空気圧式マッサージ装置１０は特に、腰部４と鼠径部６を中心としてマッサージを行なうようになっている。
【００３０】
別の動作シーケンスにおいては、第１空気袋４２、第２空気袋４８、第３空気袋５４、第４空気袋６２に順番に圧縮空気を供給してこれら空気袋を順次膨張させ、第４空気袋６２への圧縮空気の供給が完了してから数秒経過したら全ての空気袋の圧縮空気を同時に排出する。この動作を１つのサイクルとして、これを繰り返す。
【００３１】
これらの動作シーケンス以外の順序で各空気袋の膨張・収縮を行なうようにしてもよいが、マッサージ具本体１８が下腹部２に押し付けられないようにするためには、腰部空気室６２ａを膨張させる前に少なくとも押圧阻止空気室５４ａを膨張させておくことが必要となる。
【００３２】
このように当該空気圧式マッサージ装置１０においては、一対の押圧阻止空気室５４ａがマッサージ具本体１８の腰部周辺部２４の左右の両側縁２８の付近で装着者１の体幹３に当接するようにすることにより、腰部空気室６２ａが膨張してマッサージ具本体１８が全体的に後方に引っ張られたときにマッサージ具本体１８の下腹部周辺部２０が装着者１の下腹部２を押圧することを防ぐことが可能となる。これにより、マッサージ中に下腹部２が押圧されることにより息苦しさなどの不快感が生じることを防止することが可能となる。
【００３３】
以上に本発明の実施形態について説明をしたが、本発明はこの実施形態に限定されるものではない。例えば、臀部空気室と鼠径部空気室とを別の空気袋により形成してもよい。同様に、押圧阻止空気室と腰部補助空気室とを別の空気袋により形成してもよい。また、鼠径部空気室、腰部補助空気室、及び体側空気室は必ずしも必要ではなく、要求されるマッサージ内容によっては無くしても良いし、腰部のマッサージのみを行なう場合には、マッサージ具本体はパンツ形状ではなく、腰部を含む体幹周りを覆う筒状の形状としてもよい。又は、脚のよりつま先側までマッサージを行なう場合には裾を長くして、大腿部やふくらはぎなどを押圧するための追加の空気室をさらに設けるようにしてもよい。押圧阻止空気室は、上記実施形態のように各サイクルにおいて膨張と収縮を毎回繰り返すようにはせず、最初に膨張させたら後はマッサージが完了するまでずっと膨張させたままとするようにしてもよい。又は、圧縮空気制御装置ではなく、別の外部装置などで空気を入るようにしてもよい。さらには、下腹部押圧阻止部として、押圧阻止空気室に代えて、適度な硬さを有するスポンジや布などの空気袋以外の構成としてもよい。
【符号の説明】
【００３４】
１  使用者、装着者
２  下腹部
３  体幹
４  腰部
６  鼠径部
７  臀部
８  体側
９  上前腸骨棘
１０  空気圧式マッサージ装置
１２  空気圧式マッサージ具
１４  圧縮空気制御装置
１６  チューブ
１８  マッサージ具本体
２０  下腹部周辺部
２２  側縁
２４  腰部周辺部
２６  股部周辺部
２８  側縁
３０  スライドファスナ
３２  外側シート部材
３４  内側シート部材
３６  内部空間
３８  主空気袋構成部材
４０  補助空気袋構成部材
４２  第１空気袋
４２ａ  臀部空気室
４２ａ−１  第１臀部空気室
４２ａ−２  第２臀部空気室
４２ａ−３  連通開口
４２ｂ  鼠径部空気室
４２ｃ  連通路
４４  第１開口
４６  第１ニップル
４８  第２空気袋
４８ａ  体側空気室
５０  第２開口
５２  第２ニップル
５４  第３空気袋
５４ａ  押圧阻止空気室
５４ｂ  腰部補助空気室
５４ｃ  連通路
５６  第３開口
５８  第３ニップル
６０  貫通孔
６２  第４空気袋
６２ａ  腰部空気室
６２ｂ  くびれ部
６４  第４開口
６６  第４ニップル
６８  延長部分
【図１】
2019141222.tif 000003
【図２】
2019141222.tif 000004
【図３】
2019141222.tif 000005
【図４】
2019141222.tif 000006
【図５】
2019141222.tif 000007
【図６】
2019141222.tif 000008